(57)【特許請求の範囲】
【請求項１】
上部に熱交換室を備え、下部に冷凍サイクルの圧縮機を収容する機械室を備えた冷凍サイクル装置において、
前記機械室に配置され、前記圧縮機を含む、冷凍サイクル動作を制御する電装ボックスと、
前記電装ボックスの内部に空気の流れを発生可能な排熱ファンユニットと、
前記排熱ファンユニットを収容し、前記空気の流れによって、前記電装ボックスの内部の空気を前記熱交換室へ排出させるダクトユニットと、を備え、
前記ダクトユニットの吹き出し部は、前記排熱ファンユニットの真上に対向させて構成され、
前記ダクトユニットの上端は、前記熱交換室に一部入り込んだ状態で位置決めされている冷凍サイクル装置。
【請求項２】
前記ダクトユニットは、前記電装ボックスの内部と、前記熱交換室とを連通可能に構成されている請求項１に記載の冷凍サイクル装置。
【請求項３】
前記電装ボックスの内部の熱気が放出される排気通路を、更に有し、
前記ダクトユニットは、前記電装ボックスの内部と、前記排気通路とを連通可能に構成されている請求項１に記載の冷凍サイクル装置。
【請求項４】
前記ダクトユニットには、前記排熱ファンユニットに対向させて構成された吹き出し部が設けられ、
前記吹き出し部を覆うように配置されたカバーを、更に有し、
前記カバーは、その中央部分から両側に向かって下り勾配を有した輪郭に構成されている請求項１に記載の冷凍サイクル装置。
【請求項５】
前記カバーの周囲に設けられた整流板を、更に有し、
前記吹き出し部を通って前記カバーの両側から流出した空気は、前記整流板によって、流動方向が制限される請求項４に記載の冷凍サイクル装置。
【請求項６】
前記電装ボックスを支持する筐体と、
前記筐体の上方に配置された空気熱交換部と、を更に有し、
前記吹き出し部を通って前記カバーの両側から流出した熱気は、前記整流板によって、前記空気熱交換部を回避する方向に、流動方向が制限される請求項５に記載の冷凍サイクル装置。
【請求項７】
前記排熱ファンユニットを、前記ダクトユニットに対して、引き出したり、挿入したりすることが可能な出し入れ機構を、更に有している請求項１に記載の冷凍サイクル装置。
【請求項８】
前記出し入れ機構は、
前記排熱ファンユニットを搭載可能なスライダと、
前記スライダに対向させて配置されたガイドレールと、
前記スライダに連結された操作パネルと、
前記操作パネルに設けられ、作業員が手指で掴むことが可能な把手部と、を備えている請求項７に記載の冷凍サイクル装置。
【発明の詳細な説明】
【技術分野】
【０００１】
本発明の実施形態は、水配管の接続端部が機械室の外に突出された冷凍サイクル装置に関する。更に、本発明の実施形態は、排熱性（メンテナンス性）および組立性に優れた冷凍サイクル装置に関する。
【背景技術】
【０００２】
例えば冷水もしくは温水を生成する空冷ヒートポンプ式チリングユニットは、各種の冷凍サイクル構成部品が収容された機械室を有する第１のセクションと、複数の空気熱交換部が一列に並べられた第２のセクションと、を備えている。【０００３】
第２のセクションは、第１のセクションの上に重ねて配置されている。第１のセクションおよび第２のセクションは、夫々チリングユニットの奥行き方向に延びた細長い形状を有するとともに、その長手方向に沿う全長が略同一に設定されている。【０００４】
このため、第１のセクションおよび第２のセクションの長手方向に沿う両端部は、チリングユニットの高さ方向に沿うように連続して起立されており、第１のセクションの長手方向に沿う一方の端部から水配管の接続端部が突出されている。
【先行技術文献】
【特許文献】
【０００５】
【特許文献１】特許第５５５５７０１号
【特許文献２】実開平６−３５８３５号
【発明の概要】
【発明が解決しようとする課題】
【０００６】
従来の空冷ヒートポンプ式チリングユニットでは、当該チリングユニットが納入される現場において、水配管の接続端部と現場に敷設された現場配管との間を各種のバルブやフレキシブルジョイントを用いて接続することが一般的である。【０００７】
しかしながら、水配管の接続端部は、第１のセクションの一方の端部からチリングユニットの外に突出しているので、各種のバルブやフレキシブルジョイントがチリングユニットの周囲に大きく張り出すのを否めない。【０００８】
この結果、現場配管とチリングユニットとの間に少なくとも数百ｍｍ程度の距離が必要となり、チリングユニットを据え付けるスペースが大きくなる一つの要因となっている。【０００９】
更に、近年では、空気熱交換部用のファンが停止しても電装ユニット内の排熱が確保できること、かかる排熱構成のメンテナンスが容易であること、並びに、空気熱交換部の筐体に対する組み立てがし易いこと、などが要求されている。【００１０】
本発明の目的は、据え付けに必要なスペースを削減することができ、狭小なスペースであっても無理なく据え付けることができる冷凍サイクル装置を得ることにある。【００１１】
更に、本発明の目的は、排熱性（メンテナンス性）および組立性に優れた冷凍サイクル装置を得ることにある。
【課題を解決するための手段】
【００１２】
一実施形態によれば、上部に熱交換室を備え、下部に冷凍サイクルの圧縮機を収容する機械室を備えた冷凍サイクル装置において、前記機械室に配置され、前記圧縮機を含む、冷凍サイクル動作を制御する電装ボックスと、前記電装ボックスの内部に空気の流れを発生可能な排熱ファンユニットと、前記排熱ファンユニットを収容し、前記空気の流れによって、前記電装ボックスの内部の空気を前記熱交換室へ排出させるダクトユニットと、を備え、前記ダクトユニットの吹き出し部は、前記排熱ファンユニットの真上に対向させて構成され、前記ダクトユニットの上端は、前記熱交換室に一部入り込んだ状態で位置決めされている。
【図面の簡単な説明】
【００１３】
【図１】図１は、第１の実施形態に係る空冷ヒートポンプ式チリングユニットの斜視図である。
【図２】図２は、第１の実施形態に係る空冷ヒートポンプ式チリングユニットにおいて、機械室を開放した状態を左側から見た斜視図である。
【図３】図３は、第１の実施形態に係る空冷ヒートポンプ式チリングユニットにおいて、機械室を開放した状態を右側から見た斜視図である。
【図４】図４は、第１の実施形態に係る空冷ヒートポンプ式チリングユニットの側面図である。
【図５】図５は、第１の実施形態に係る空冷ヒートポンプ式チリングユニットの冷凍サイクルを示す回路図である。
【図６】図６は、機械室に収容された第１の冷凍サイクルユニット、第２の冷凍サイクルユニット、水回路および電装ユニットの位置関係を示す平面図である。
【図７】図７は、第１の実施形態に係る空冷ヒートポンプ式チリングユニットに用いる空気熱交換部を分解して示す斜視図である。
【図８】図８は、第１の実施形態に係る空冷ヒートポンプ式チリングユニットにおいて、機械室とドレンパンとの位置関係を示す斜視図である。
【図９】図９は、第１の実施形態に係る空冷ヒートポンプ式チリングユニットにおいて、電装ユニット、ドレンパンおよび空気熱交換部の位置関係を示す断面図である。
【図１０】図１０は、第２の実施形態に係る空冷ヒートポンプ式チリングユニットの側面図である。
【図１１】図１１は、第３の実施形態に係る空冷ヒートポンプ式チリングユニットの側面図である。
【図１２】第４の実施形態に係る空冷ヒートポンプ式チリングユニットの斜視図。
【図１３】ダクトユニットと排熱ファンユニットの配置構成を示す斜視図。
【図１４】第５の実施形態において、仕切ベースとダクトユニットの配置構成を示す斜視図。
【図１５】図１４のＦ１５の枠内を拡大して示す斜視図。
【図１６】図１４の仕切ベースとダクトユニットの配置構成を示す正面図。
【図１７】第６の実施形態において、空気熱交換部と筐体とが分離可能であることを示す正面図。
【図１８】仕切ベースの表面側から見た図１７のダクトユニットの斜視図。
【図１９】仕切ベースの裏面側から見た図１７のダクトユニットの斜視図。
【発明を実施するための形態】
【００１４】
「第１の実施形態」  
以下、第１の実施形態について図１ないし図９を参照して説明する。
【００１５】
図１ないし図３は、例えば冷水もしくは温水を生成する空冷ヒートポンプ式チリングユニットの斜視図、図４は、空冷ヒートポンプ式チリングユニットの側面図、図５は、空冷ヒートポンプ式チリングユニットの冷凍サイクルを示す回路図である。
【００１６】
空冷ヒートポンプ式チリングユニットは、例えば冷却モードおよび加熱モードで運転が可能な冷凍サイクル装置の一例であって、空冷ヒートポンプ式熱源機と言い換えることができる。以下の説明では、空冷ヒートポンプ式チリングユニットを単にチリングユニットと称する。
【００１７】
図１ないし図４に示すように、チリングユニット１は、筐体２、第１の冷凍サイクルユニット３、第２の冷凍サイクルユニット４、水回路５および電装ユニット６を主要な要素として備えている。
【００１８】
筐体２は、第１のセクションの一例であって、例えば建屋の屋上のような水平な設置面Ｇの上に据え付けられている。筐体２は、奥行き寸法が幅寸法よりも格段に大きな細長い中空の箱状に形成されている。
【００１９】
図２ないし図４に示すように、筐体２は、メインフレーム７を備えている。メインフレーム７は、下フレーム８、上フレーム９および複数の縦桟１０で構成されている。下フレーム８および上フレーム９は、筐体２の奥行き方向に延びた細長い矩形状である。筐体２の奥行き方向に沿う下フレーム８の長さＬ１は、筐体２の奥行き方向に沿う上フレーム９の長さＬ２よりも短い。さらに、筐体２の幅方向に沿う上フレーム９の長さＬ３は、筐体２の幅方向に沿う下フレーム８の長さＬ４よりも短い。
【００２０】
縦桟１０は、下フレーム８と上フレーム９との間を連結する要素であって、筐体２の奥行き方向に互いに間隔を存して配列されている。筐体２の幅方向に向かい合う縦桟１０は、下フレーム８から上フレーム９の方向に進むに従い互いに近づくように傾いている。
【００２１】
このため、図２および図３に示すように、筐体２を正面の方向Ｆおよび背面の方向Ｒから見た時に、メインフレーム７は、下フレーム８から上フレーム９に向けて筐体２の幅方向に沿う寸法が次第に狭まるような先細り状に形成されている。
【００２２】
メインフレーム７の右側面および左側面は、夫々複数の側板１２で覆われている。メインフレーム７の正面および背面は、夫々図示しない端板で覆われている。さらに、下フレーム８の上に底板１３が固定されている。ここで底板１３は、第１の冷凍サイクルユニット３、第２の冷凍サイクルユニット４、電装ユニット６、及び後述する渦巻ポンプ４５を有するポンプユニットのそれぞれを載置する複数の板金部材であり、それぞれがメインフレーム７に固定される構成となっている。底板１３は、側板１２および端板と協働して筐体２の内部に機械室１４を規定している。機械室１４は、筐体２の奥行き方向に沿う全長に亘って延びている。
【００２３】
本実施形態によると、筐体２の正面の側に位置された下フレーム８の前端および上フレーム９の前端は、筐体２の高さ方向に並ぶように筐体２の奥行き方向に沿う位置が互いに揃えられている。筐体２の背面の側では、上フレーム９が下フレーム８よりも筐体２の背後に向けて水平に張り出している。このため、筐体２の奥行き方向に沿う全長は、下フレーム８の長さＬ１によって規定されている。筐体２の奥行き方向は、筐体２の長手方向と言い換えることができる。
【００２４】
図５および図６に示すように、第１の冷凍サイクルユニット３は、互いに独立した第１の冷媒回路ＲＡおよび第２の冷媒回路ＲＢを備えている。同様に、第２の冷凍サイクルユニット４は、互いに独立した第３の冷媒回路ＲＣおよび第４の冷媒回路ＲＤを備えている。
【００２５】
第１ないし第４の冷媒回路ＲＡ，ＲＢ，ＲＣ，ＲＤは、互いに共通の構成を有するため、第１の冷媒回路ＲＡを代表して説明し、第２ないし第４の冷媒回路ＲＢ，ＲＣ，ＲＤについては同一の参照符号を付して、その説明を省略する。
【００２６】
第１の冷媒回路ＲＡは、能力可変型の圧縮機２０、四方弁２１、空気熱交換部２２、一対の膨張弁２３ａ，２３ｂ、レシーバ２４、水熱交換器２５および気液分離器２６を主要な要素として備えている。前記複数の要素は、冷凍サイクル構成部品の一例であって、冷媒が循環する循環回路２７を介して接続されている。
【００２７】
具体的に述べると、図５に示すように、圧縮機２０の吐出口は、四方弁２１の第１ポート２１ａに接続されている。四方弁２１の第２ポート２１ｂは、空気熱交換部２２に接続されている。本実施形態の空気熱交換部２２は、一対の空気熱交換器２９ａ，２９ｂおよびファン３０を備えている。
【００２８】
図７に示すように、空気熱交換器２９ａ，２９ｂは、複数のプレートフィンと複数の冷媒配管とを組み合わせて構成され、その水平断面が略Ｃ字状に折り曲げられた形状を有している。空気熱交換器２９ａ，２９ｂは、筐体２の幅方向に間隔を存して向かい合うように起立しているとともに、上方に進むに従い互いに遠ざかる方向に傾いている。空気熱交換器２９ａ，２９ｂの縁部の間の隙間は、一対の遮蔽板３２ａ，３２ｂで閉塞されている。空気熱交換器２９ａ，２９ｂおよび遮蔽板３２ａ，３２ｂで囲まれた筒状の空間は、上下方向に延びた排気通路３３を規定している。
【００２９】
このため、図２および図３に示すように、空気熱交換部２２は、筐体２を正面の方向Ｆおよび背面の方向Ｒから見た時に、筐体２の上方に向かうに従い筐体２の幅方向に拡開するようなＶ字状に形成されている。よって、筐体２の上に空気熱交換部２２が位置されたチリングユニット１は、高さ方向に沿う中間部が括れた鼓形の形状を有している。
【００３０】
ファン３０は、羽根車３４を回転させるファンモータ３５を備えている。ファンモータ３５は、羽根車３４の回転速度を可変制御するためのインバータ基板（図示せず）を内蔵している。ファンモータ３５は、排気通路３３の上端に位置するように空気熱交換器２９ａ，２９ｂの上端部の相互間にファンベース３６を介して支持されている。
【００３１】
さらに、ファン３０の羽根車３４は、ファンカバー３７で覆われている。ファンカバー３７は、羽根車３４と向かい合う円筒状の排気口３８を有している。
【００３２】
ファン３０が駆動されると、チリングユニット１の周囲の空気が空気熱交換器２９ａ，２９ｂを通過して排気通路３３に吸い込まれる。排気通路３３に吸い込まれた空気は、排気口３８に向けて吸い上げられるとともに、当該排気口３８からチリングユニット１の上方に向けて排出される。
【００３３】
図５に示すように、空気熱交換器２９ａ，２９ｂの入口は、四方弁２１の第２ポート２１ｂに並列に接続されている。空気熱交換器２９ａ，２９ｂの出口は、膨張弁２３ａ，２３ｂ、レシーバ２４および水熱交換器２５を介して四方弁２１の第３ポート２１ｃに接続されている。四方弁２１の第４ポート２１ｄは、気液分離器２６を介して圧縮機２０の吸入側に接続されている。
【００３４】
さらに、気液分離器２６の出口は、バイパス配管４０を介して四方弁２１の第１ポート２１ａに接続されている。常閉形の電磁弁４１がバイパス配管４０の途中に設けられている。
【００３５】
図５に示すように、水熱交換器２５は、第１の冷媒流路２５ａ、第２の冷媒流路２５ｂおよび水流路２５ｃを備えている。水熱交換器２５の第１の冷媒流路２５ａは、レシーバ２４および四方弁２１の第３ポート２１ｃに接続されている。第２の冷媒流路２５ｂは、第２の冷媒回路ＲＢのレシーバ２４および四方弁２１の第３ポート２１ｃに接続されている。このため、第１の冷凍サイクルユニット３では、第１の冷媒回路ＲＡおよび第２の冷媒回路ＲＢが一つの水熱交換器２５を共有している。
【００３６】
同様に、第２の冷凍サイクルユニット４においても、一つの水熱交換器２５を共有するように第３の冷媒回路ＲＣおよび第４の冷媒回路ＲＤが一つの水熱交換器２５に並列に接続されている。したがって、チリングユニット１は、二台の水熱交換器２５を搭載している。
【００３７】
本実施形態のチリングユニット１は、第１ないし第４の冷媒回路ＲＡ，ＲＢ，ＲＣ，ＲＤを有するので、四組の空気熱交換部２２が存在する。四組の空気熱交換部２２は、メインフレーム７の上フレーム９の上に起立した姿勢で固定されているとともに、筐体２の奥行き方向に沿って一列に並んでいる。したがって、本実施形態では、機械室１４の真上に位置された四組の空気熱交換部２２がチリングユニット１の第２のセクションを構成している。
【００３８】
さらに、筐体２の奥行き方向に沿う前端部および後端部の上に位置された空気熱交換部２２にあっては、夫々空気熱交換器２９ａ，２９ｂの折り曲げられた一方の端部が筐体２の正面の方向Ｆおよび筐体２の背面の方向Ｒに露出されている。言い換えると、複数の空気熱交換部２２の並び方向に沿う両端部に位置された二組の空気熱交換器２９ａ，２９ｂの一方の端部は、チリングユニット１の周囲に露出された熱交換面となっている。
【００３９】
この構成を採用することで、筐体２の前端部および後端部の上に位置された空気熱交換部２２は、夫々チリングユニット１の幅方向から吸い込まれる空気に加えて、筐体２の正面の方向Ｆおよび背面の方向Ｒから吸い込まれる空気を利用して熱交換を行なうことができる。
【００４０】
図４に最もよく示されるように、メインフレーム７の上フレーム９は、下フレーム８よりも筐体２の背後に向けて水平に張り出している。四組の空気熱交換部２２のうち、筐体２の背後に位置された最後部の空気熱交換部２２は、筐体２の後端部から筐体２の奥行き方向に突出されている。言い換えると、筐体２の奥行き方向に沿う全長は、四組の空気熱交換部２２の並び方向に沿う全長よりも短い。
【００４１】
この結果、第１のセクションとしての筐体２の背後に、最後部の空気熱交換部２２よりも引っ込んだ段差部４３が形成されている。段差部４３は、筐体２の側方および背後に連続して開放されたスペースＳ１を規定しており、当該スペースＳ１の上に最後部の空気熱交換部２２が張り出している。
【００４２】
すなわち、当該空気熱交換部２２の最も背面側に位置する空気熱交換器２９ａ，２９ｂの折り曲げられた端部の下方にスペースＳ１が位置されている。ここで、図４に示すように、筐体２の後端部に配置された縦桟１０は、最後部の空気熱交換部２２を構成する空気熱交換器２９ａ，２９ｂの奥行き方向に沿う中央又は中央よりも筐体２の背面の側に位置されている。これにより、重量物である空気熱交換器２９ａ，２９ｂをメインフレーム７で安定して支持することができる。
【００４３】
図２〜図４および図６に示すように、第１の冷凍サイクルユニット３および第２の冷凍サイクルユニット４のうち、四組の空気熱交換部２２を除いた各種の要素は、筐体２の機械室１４に収容されている。
【００４４】
第１の冷媒回路ＲＡおよび第２の冷媒回路ＲＢを備えた第１の冷凍サイクルユニット３は、例えば筐体２を正面Ｆの方向から見た時に、機械室１４の長手方向に沿う右半分の領域に配置されている。同様に、第３の冷媒回路ＲＣおよび第４の冷媒回路ＲＤを備えた第２の冷凍サイクルユニット４は、例えば筐体２を正面Ｆの方向から見た時に、機械室１４の長手方向に沿う左半分の領域に配置されている。
【００４５】
具体的に述べると、第１の冷媒回路ＲＡおよび第２の冷媒回路ＲＢを構成する二台の圧縮機２０、二台のレシーバ２４および二台の気液分離器２６は、機械室１４の右半分の領域において、筐体２の奥行き方向に沿って一列に並ぶように底板１３の上に据え付けられている。さらに、第１の冷媒回路ＲＡおよび第２の冷媒回路ＲＢが共有する一つの水熱交換器２５は、第１の冷凍サイクルユニット３の最後部に位置するように底板１３の上に据え付けられている。
【００４６】
第３の冷媒回路ＲＣおよび第４の冷媒回路ＲＤを構成する二台の圧縮機２０、二台のレシーバ２４および二台の気液分離器２６は、機械室１４の左半分の領域において、筐体２の奥行き方向に沿って一列に並ぶように底板１３の上に据え付けられている。さらに、第３の冷媒回路ＲＣおよび第４の冷媒回路ＲＤが共有する一つの水熱交換器２５は、第２の冷凍サイクルユニット４の最後部に位置するように底板１３の上に据え付けられている。
【００４７】
したがって、図６に最もよく示されるように、第１の冷凍サイクルユニット３および第２の冷凍サイクルユニット４は、機械室１４内で筐体２の長手方向に延びているとともに、筐体２の幅方向に並んでいる。それとともに、二台の水熱交換器２５は、筐体２の長手方向に沿う中間部よりも段差部４３の方向に偏った位置で筐体２の幅方向に並んでいる。
【００４８】
図２ないし図６に示すように、水回路５は、第１の冷凍サイクルユニット３および第２の冷凍サイクルユニット４と共に機械室１４に収容されている。水回路５は、能力可変型の水循環ポンプ４５および第１ないし第４の水配管４６ａ，４６ｂ，４６ｃ，４６ｄを主要な要素として備えている。
【００４９】
水循環ポンプ４５は、機械室１４の後端部に位置するように底板１３の上に据え付けられている。そのため、水循環ポンプ４５は、筐体２の幅方向に並んだ二台の水熱交換器２５と筐体２の背後の段差部４３との間に位置されている。
【００５０】
第１の水配管４６ａは、水循環ポンプ４５の吸入口に接続されている。第２の水配管４６ｂは、水循環ポンプ４５の吐出口と第１の冷凍サイクルユニット３に対応する水熱交換器２５の水流路２５ｃとの間を接続している。第３の水配管４６ｃは、第１の冷凍サイクルユニット３の水熱交換器２５の水流路２５ｃと第２の冷凍サイクルユニット４の水熱交換器２５の水流路２５ｃとの間を直列に接続している。第４の水配管４６ｄは、第２の冷凍サイクルユニット４の水熱交換器２５の水流路２５ｃに接続されている。
【００５１】
本実施形態によると、水回路５の水循環ポンプ４５および二台の水熱交換器２５が機械室１４の後部で互いに隣り合っている。そのため、水回路５の第１ないし第４の水配管４６ａ，４６ｂ，４６ｃ，４６ｄが機械室１４の後端部に集中し、第１ないし第４の水配管４６ａ，４６ｂ，４６ｃ，４６ｄの配管長が短くなる。
【００５２】
これにより、第１ないし第４の水配管４６ａ，４６ｂ，４６ｃ，４６ｄを機械室１４に据え付ける際の作業性が良好となるとともに、第１ないし第４の水配管４６ａ，４６ｂ，４６ｃ，４６ｄのメンテナンスを容易に行うことができる。
【００５３】
図４および図６に示すように、第１の水配管４６ａは、第１の接続端部４８を有している。第１の接続端部４８は、例えば第１の水配管４６ａの上流端に形成された水配管入口４９と、水配管入口４９に接続されたストレーナ５０と、を備えている。第１の接続端部４８は、機械室１４の後端部から筐体２の背後の段差部４３に向けて突出されている。
【００５４】
第４の水配管４６ｄは、第２の接続端部５１を有している。第２の接続端部５１は、例えば第４の水配管４６ｄの下流端に形成された水配管出口５２と、水配管出口５２に接続されたチェッキバルブ５３と、を備えている。第２の接続端部５１は、機械室１４の後端部から筐体２の背後の段差部４３に向けて突出されている。
【００５５】
そのため、水回路５の第１の接続端部４８および第２の接続端部５１は、段差部４３が規定するスペースＳ１に収まっている。したがって、第１の接続端部４８および第２の接続端部５１が機械室１４の背後に突出しているにも拘らず、第１の接続端部４８および第２の接続端部５１の大部分は、最後部の空気熱交換部２２の真下に位置されている。
【００５６】
さらに、図４に示すように、第１の水配管４６ａの第１の接続端部４８は、例えば各種のバルブやフレキシブルジョイントのような付属品（図示せず）を介して設置面Ｇの上に敷設された第１の現場配管５５に接続されている。第１の現場配管５５は、例えば空調機のような利用機器側の水出口に接続されている。
【００５７】
第４の水配管４６ｄの第２の接続端部５１は、例えば各種のバルブやフレキシブルジョイントのような付属品（図示せず）を介して設置面Ｇの上に敷設された第２の現場配管５６に接続されている。第２の現場配管５６は、例えば空調機のような利用機器側の水入口に接続されている。
【００５８】
図８および図９に示すように、空気熱交換器２９ａ，２９ｂから滴下する結露水等を受けるドレンパン６０が筐体２の機械室１４と四組の空気熱交換部２２との間に配置されている。本実施形態のドレンパン６０は、一対の樋６１ａ，６１ｂおよびドレン回収盤６２を備えている。
【００５９】
樋６１ａ，６１ｂは、四組の空気熱交換部２２の配列方向に沿って真っ直ぐに延びた要素であって、各空気熱交換部２２の空気熱交換器２９ａ，２９ｂの真下に位置するように筐体２の上フレーム９に支持されている。
【００６０】
樋６１ａ，６１ｂは、筐体２の幅方向に互いに間隔を存して平行に配置されている。樋６１ａ，６１ｂの底は、筐体２の正面から背面の方向に進むに従い下向きに傾斜されている。さらに、樋６１ａ，６１ｂの間に通風路６３が形成されている。通風路６３は、筐体２の奥行き方向に沿って延びており、当該通風路６３を通じて機械室１４と四組の空気熱交換部２２の排気通路３３との間が連通されている。
【００６１】
ドレン回収盤６２は、樋６１ａ，６１ｂの後端部の間に跨るように上フレーム９に支持されている。ドレン回収盤６２の後端部は、筐体２の背後の段差部４３の上方に張り出している。さらに、ドレン回収盤６２は、段差部４３に開口されたドレン配管接続口６４を有している。
【００６２】
図４、図６および図８に示すように、前記電装ユニット６は、筐体２の正面の側である機械室１４の前端部に位置されている。本実施形態の電装ユニット６は、電装ボックス７０およびファン装置７１を備えている。電装ボックス７０は、メインボックス７２、第１のサイドボックス７３ａおよび第２のサイドボックス７３ｂを有している。
【００６３】
図８および図９に示すように、メインボックス７２は、略直方体状の要素であって、機械室１４と同等の高さ寸法を有している。メインボックス７２の左右の側面は、底板１３に近づくに従い筐体２の側板１２から離れている。第１のサイドボックス７３ａおよび第２のサイドボックス７３ｂは、メインボックス７２よりも高さ寸法が小さい箱形の要素であって、筐体２の奥行き方向に延びた細長い形状を有している。
【００６４】
第１のサイドボックス７３ａは、メインボックス７２の左側面の下部からメインボックス７２の左側方に向けて突出されている。第２のサイドボックス７３ｂは、メインボックス７２の右側面の下部からメインボックス７２の右側方に向けて突出されている。第１のサイドボックス７３ａおよび第２のサイドボックス７３ｂは、夫々機械室１４の底板１３の上に固定されている。
【００６５】
本実施形態によると、筐体２は、下フレーム８から上フレーム９に向けて先細り状に形成されているので、図９に示すように、筐体２の幅方向に沿う機械室１４の長さは、機械室１４の上部から下部に進むに従い拡張されている。そのため、第１のサイドボックス７３ａおよび第２のサイドボックス７３ｂは、幅が拡張された機械室１４の下部に収められている。
【００６６】
この構成を採用することで、機械室１４の前端部を電装ボックス７０の収容スペースとして隅々まで有効に活用することができる。そのため、筐体２の奥行き方向に沿う電装ボックス７０の長さを抑制しつつ、電装ボックス７０の内容積を十分に確保できる。
【００６７】
本実施形態によると、図９に示すような空気通路７４がメインボックス７２の内部に形成されている。空気通路７４は、メインボックス７２の内部を区画する一対の仕切り板７５ａ，７５ｂの間に形成されている。空気通路７４は、メインボックス７２の幅方向に沿う中央部において筐体２の奥行き方向に延びているとともに、メインボックス７２の高さ方向に沿って起立されている。
【００６８】
空気通路７４の下端は、メインボックス７２の底に開口されているとともに、筐体２の底板１３に開けた吸気孔７６に通じている。吸気孔７６は、底板１３と設置面Ｇとの間の隙間ｇに連通されている。空気通路７４の上端は、メインボックス７２の上面に開口されている。
【００６９】
電装ボックス７０は、第１の冷凍サイクルユニット３および第２の冷凍サイクルユニット４の運転を制御する各種の電気部品を収容している。電気部品の一例は、圧縮機２０に印加する電圧および周波数を制御する複数の制御基板、インバータおよびコンバータのような複数のパワーモジュール、複数の平滑コンデンサ、力率改善用の複数のリアクトル、複数のフィルタ基板、複数の端子台および複数の電磁接触器などである。
【００７０】
各種の電気部品の中でも例えば複数の制御基板および複数のパワーモジュールは、動作中の発熱量が大きい発熱部品７８と言い換えることができる。発熱部品７８は、積極的な放熱を必要とするので、複数のヒートシンク７９に熱的に接続されている。ヒートシンク７９は、仕切り板７５ａ，７５ｂを貫通して空気通路７４に露出されている。
【００７１】
図６、図８および図９に示すように、電装ユニット６のファン装置７１は、メインボックス７２の上面に取り付けられている。  
この状態において、ファン装置７１は、電装ボックス７０内の各種の電気部品（即ち、発熱部品）から発せられる熱気を、排熱可能に構成されている。このため、ファン装置７１は、細長い箱状のダクトユニット８１と、このダクトユニット８１に収容された排熱ファンユニット３００（図１２〜図１３参照）と、を備えている。
【００７２】
図面では一例として、排熱ファンユニット３００は、複数（例えば、３つ）の電動ファン８２ａ，８２ｂ，８２ｃと、これら電動ファン８２ａ，８２ｂ，８２ｃの周囲を囲むスライダ３０２ａと、操作パネル３０２ｃと、を備えている。複数の電動ファン８２ａ，８２ｂ，８２ｃは、筐体２の奥行き方向（矢印ＦからＲ方向）に沿って一列に並んで配置されている。
【００７３】
ここで、電動ファン８２ａ，８２ｂ，８２ｃを駆動させることにより、電装ボックス７０の内部に空気の流れを発生させる。この結果、空気の流れによって、電装ボックス７０の内部の熱気が、ダクトユニット８１（図１３参照）を通って、機外に排熱され、電装ボックス７０の内部が冷却される。
【００７４】
また、ダクトユニット８１は、メインボックス７２の上面の中央部分に設けられている。ダクトユニット８１は、上記した空気通路７４の開口に対向させて設けられている。ダクトユニット８１は、かかる空気通路７４の開口を取り囲むように構成されている。排熱ファンユニット３００は、ダクトユニット８１の中間部に収容されて配置されている。
【００７５】
ダクトユニット８１の下端は、メインボックス７２の内部に一部入り込んだ状態で位置決めされている。ダクトユニット８１の上端は、樋６１ａ，６１ｂの間を通って、上記した空気熱交換部２２の排気通路３３（図９参照）に一部入り込んだ状態で位置決めされている。換言すると、ダクトユニット８１は、メインボックス７２の内部と外部とを連通させて構成されている。
【００７６】
ダクトユニット８１には、吹き出し部３０１が設けられている。吹き出し部３０１は、排熱ファンユニット３００の真上に対向させて構成されている。即ち、吹き出し部３０１は、排熱ファンユニット３００からダクトユニット８１の上端に亘って構成されている。かかる構成において、吹き出し部３０１は、ダクトユニット８１の吹出口として、電装ボックス７０）内の熱気を外部に排出可能となっている。
【００７７】
電動ファン８２ａ，８２ｂ，８２ｃは、筐体２の奥行き方向に間隔を存して一列に並んでいる。電動ファン８２ａ，８２ｂ，８２ｃは、空気通路７４の真上に位置するように、回転軸線を縦置きにした水平の姿勢でダクトユニット８１に組み込まれている。電動ファン８２ａ，８２ｂ，８２ｃは、いずれもダクトユニット８１の上方に向けて排気する。
【００７８】
電動ファン８２ａ，８２ｂ，８２ｃが動作すると、メインボックス７２の空気通路７４に負圧が作用する。これにより、図９に矢印で示すように、筐体２の周囲の空気が隙間ｇから吸気孔７６を通じて空気通路７４に吸い込まれる。吸い込まれた空気は、空気通路７４を下から上に向けて流れるとともに、ダクトユニット８１に導かれる。
【００７９】
空気通路７４を流れる空気は、発熱部品７８の熱を受けるヒートシンク７９に接触する。この結果、ヒートシンク７９に伝えられた発熱部品７８の熱が空気の流れに乗じて放出され、発熱部品７８が強制的に冷やされる。
【００８０】
空気通路７４を通過した空気（熱気）は、電動ファン８２ａ，８２ｂ，８２ｃにより吸い上げられるとともに、図９に白抜きの矢印で示すように、ダクトユニット８１の上端の吹き出し部３０１から空気熱交換器２９ａ，２９ｂの間の排気通路３３に直に放出される。
【００８１】
排気通路３３に放出された空気は、ファン３０の動作によって空気熱交換器２９ａ，２９ｂを通過した空気と共に排気口３８に向けて吸い上げられるとともに、排気口３８からチリングユニット１の上方に排出される。したがって、電装ユニット６の発熱部品７８を冷却した後の空気（熱気）が機械室１４に滞留することはない。
【００８２】
具体的に述べると、ヒートシンク７９が露出された電装ボックス７０内の空気通路７４には、吸気孔７６からチリングユニット１の外の空気、つまり外気が導かれる。外気には、塵埃や水分が含まれているので、空気通路７４を通過した外気が機械室１４に排出されてしまうと、機械室１４に早期のうちに塵埃が堆積するのを否めない。
【００８３】
これに対し、本実施形態では、電動ファン８２ａ，８２ｂ，８２ｃを収容したダクトユニット８１がドレンパン６０の樋６１ａ，６１ｂの間を通して空気熱交換器２９ａ，２９ｂの間の排気通路３３に突出されている。そのため、空気通路７４を通過した外気は、機械室１４を経由することなく空気熱交換部２２の排気口３８からチリングユニット１の外に吐き出される。
【００８４】
よって、空気中に含まれる塵埃が機械室１４に堆積したり、第１の冷凍サイクルユニット３および第２の冷凍サイクルユニット４に付着したりするのを防止できる。
【００８５】
さらに、本実施形態によると、筐体２内の機械室１４は、筐体２の奥行き方向に延びた一対の樋６１ａ，６１ｂの間の通風路６３を通じて四組の空気熱交換部２２の内側の排気通路３３に通じている。このため、空気熱交換部２２のファン３０を利用して機械室１４内の空気を通風路６３から排気通路３３に向けて強制的に吸い上げることができる。よって、機械室１４の通気性が格段に向上し、機械室１４に熱が籠り難くなる。
【００８６】
加えて、メインボックス７２の上のファン装置７１がドレンパン６０の樋６１ａ，６１ｂの間に入り込むので、樋６１ａ，６１ｂの間に生じた通風路６３をファン装置７１の設置スペースとして活用できる。これにより、メインボックス７２の上面を樋６１ａ，６１ｂに極力近づけることが可能となり、機械室１４の高さ寸法を抑えつつ、メインボックス７２の高さを確保できる。
【００８７】
しかも、メインボックス７２の高さ寸法を増すことで、メインボックス７２の内容積を確保しつつ、筐体２の奥行き方向に沿うメインボックス７２の長さを抑制することができる。よって、機械室１４内でのメインボックス７２の占有面積を減らすことができ、第１のセクションとしての筐体２の奥行き方向に沿う全長を短くする上で好都合となる。
【００８８】
次に、チリングユニット１の動作について説明する。
【００８９】
第１の冷凍サイクルユニット３および第２の冷凍サイクルユニット４が冷却モードで運転を開始すると、第１ないし第４の冷媒回路ＲＡ，ＲＢ，ＲＣ，ＲＤの四方弁２１は、図５に実線で示すように、第１ポート２１ａが第２ポート２１ｂに連通し、第３ポート２１ｃが第４ポート２１ｄに連通するように切り換わる。
【００９０】
さらに、第１ないし第４の冷媒回路ＲＡ，ＲＢ，ＲＣ，ＲＤの圧縮機２０から高温・高圧の気相冷媒が循環回路２７に吐出される。圧縮機２０から吐出された高温・高圧の気相冷媒は、四方弁２１を経由して空気熱交換器２９ａ，２９ｂに導かれる。
【００９１】
空気熱交換器２９ａ，２９ｂに導かれた気相冷媒は、ファン３０の作動により空気熱交換器２９ａ，２９ｂを通過する空気との熱交換により凝縮し、高圧の液相冷媒に変化する。高圧の液相冷媒は、膨張弁２３ａ，２３ｂを通過する過程で減圧されて、中間圧の気液二相冷媒に変化する。気液二相冷媒は、レシーバ２４を経由して水熱交換器２５に導かれる。
【００９２】
本実施形態では、第１の冷媒回路ＲＡおよび第２の冷媒回路ＲＢが一つの水熱交換器２５を共有し、第３の冷媒回路ＲＣおよび第４の冷媒回路ＲＤが他の一つの水熱交換器２５を共有している。このため、第１の冷媒回路ＲＡおよび第２の冷媒回路ＲＢでは、水熱交換器２５の第１の冷媒流路２５ａおよび第２の冷媒流路２５ｂに夫々中間圧の気液二相冷媒が導かれ、水流路２５ｃを流れる水と熱交換する。
【００９３】
この結果、第１の冷媒流路２５ａおよび第２の冷媒流路２５ｂを流れる気液二相冷媒は、蒸発して水流路２５ｃ内の水から熱を受け入れ、蒸発潜熱によって低温・低圧の気液二相冷媒に変化する。水流路２５ｃ内の水は、潜熱を奪われることで冷水となる。
【００９４】
第１の冷媒回路ＲＡおよび第２の冷媒回路ＲＢが共有する水熱交換器２５の水流路２５ｃは、第３の水配管４６ｃを介して第３の冷媒回路ＲＣおよび第４の冷媒回路ＲＤが共有する他の水熱交換器２５の水流路２５ｃに直列に接続されている。
【００９５】
このため、第１の冷媒回路ＲＡおよび第２の冷媒回路ＲＢが共有する水熱交換器２５で冷やされた水は、第３の冷媒回路ＲＣおよび第４の冷媒回路ＲＤが共有する他の水熱交換器２５の水流路２５ｃを通過する過程で、他の水熱交換器２５の第１の冷媒流路２５ａおよび第２の冷媒流路２５ｂを流れる気液二相冷媒との熱交換により再度冷やされる。二段階に亘って冷やされた水は、第４の水配管４６ｄから第２の現場配管５６を介して利用機器側に供給される。
【００９６】
各水熱交換器２５を通過した低温・低圧の気液二相冷媒は、四方弁２１を経由して気液分離器２６に導かれ、ここで液相冷媒と気相冷媒とに分離される。液相冷媒から分離された気相冷媒は、圧縮機２０に吸い込まれるとともに、再び高温・高圧の気相冷媒となって圧縮機２０から循環回路２７に吐出される。
【００９７】
一方、第１の冷凍サイクルユニット３および第２の冷凍サイクルユニット４が加熱モードで運転を開始すると、第１ないし第４の冷媒回路ＲＡ，ＲＢ，ＲＣ，ＲＤの四方弁２１は、図５に破線で示すように、第１ポート２１ａが第３ポート２１ｃに連通し、第２ポート２１ｂが第４ポート２１ｄに連通するように切り換わる。
【００９８】
加熱モードでは、圧縮機２０で圧縮された高温・高圧の気相冷媒が四方弁２１を経由して水熱交換器２５に導かれる。加熱モードにおいても、第１の冷媒回路ＲＡおよび第２の冷媒回路ＲＢが共有する一つの水熱交換器２５の水流路２５ｃと、第３の冷媒回路ＲＣおよび第４の冷媒回路ＲＤが共有する他の一つの水熱交換器２５の水流路２５ｃとが直列に接続されているので、水流路２５ｃを流れる水は、第１の冷媒流路２５ａおよび第２の冷媒流路２５ｂを流れる気相冷媒との熱交換により二段階に亘って加熱される。気相冷媒の熱を受けて加熱された水は、第４の水配管４６ｄから第２の現場配管５６を介して利用機器側に供給される。
【００９９】
水熱交換器２５を通過した高圧の液相冷媒は、レシーバ２４および膨張弁２３ａ，２３ｂを通過する過程で中間圧の気液二相冷媒に変化するとともに、空気熱交換器２９ａ，２９ｂに導かれる。空気熱交換器２９ａ，２９ｂに導かれた気液二相冷媒は、ファン３０の作動により空気熱交換器２９ａ，２９ｂを通過する空気との熱交換により蒸発し、低温・低圧の気液二相冷媒に変化する。
【０１００】
空気熱交換器２９ａ，２９ｂを通過した低温・低圧の気液二相冷媒は、四方弁２１を経由して気液分離器２６に導かれ、ここで液相冷媒と気相冷媒とに分離される。液相冷媒から分離された気相冷媒は、圧縮機２０に吸い込まれるとともに、再び高温・高圧の気相冷媒となって圧縮機２０から循環回路２７に吐出される。
【０１０１】
第１の実施形態のチリングユニット１によると、水回路５の第１の接続端部４８および第２の接続端部５１は、夫々筐体２の機械室１４から筐体２の背後の段差部４３に向けて突出されている。段差部４３は、第１のセクションとしての筐体２の長さを第２のセクションとしての四組の空気熱交換部２２の長さよりも短くすることで形成され、第２のセクションの後端に位置された一つの空気熱交換部２２よりも引っ込んだスペースＳ１を規定している。
【０１０２】
そのため、水回路５の第１の接続端部４８および第２の接続端部５１が機械室１４の背後に突出しているにも拘らず、第１の接続端部４８および第２の接続端部５１は、チリングユニット１の背後に大きく張り出すことなく段差部４３のスペースＳ１に収まる。
【０１０３】
したがって、チリングユニット１を第１および第２の現場配管５５，５６が敷設された設置面Ｇの上に据え付けるに当たって、チリングユニット１を第１および第２の現場配管５５，５６に近づけることが可能となる。
【０１０４】
この結果、チリングユニット１の据え付けに必要なスペースを削減でき、狭小なスペースであってもチリングユニット１の据え付け作業を無理なく実行することができる。
【０１０５】
さらに、第１の実施形態によると、機械室１４に収容されたメインボックス７２の上端部を、一対の樋６１ａ，６１ｂの間を通して空気熱交換部２２の内側の排気通路３３に突出させたので、メインボックス７２の内容積を確保しつつ、筐体２の奥行き方向に沿うメインボックス７２の長さ寸法を短縮することができる。これにより、機械室１４に対するメインボックス７２の占有領域が筐体２の奥行き方向に短くなり、筐体２の奥行き方向に沿う長さ寸法を短縮する上で有効に寄与する。
【０１０６】
それとともに、第１の実施形態では、ファン３０の羽根車３４の回転速度を制御するインバータ基板がファンモータ３５に内蔵されている。この結果、電装ボックス７０の内部にインバータ基板を収めるスペースを確保する必要はなく、電装ボックス７０の長さを抑制することができる。
【０１０７】
よって、第１のセクションとしての筐体２の長さを第２のセクションとしての空気熱交換部２２の長さよりも十分に短くすることができ、筐体２の背後の側に水回路５の第１の接続端部４８および第２の接続端部５１を収めるスペースＳ１を有した段差部４３を容易に得ることができる。
【０１０８】
「第２の実施形態」  
図１０は、第２の実施形態を開示している。
【０１０９】
第２の実施形態は、ポンプレス仕様のチリングユニット１００を開示している。ポンプレス仕様のチリングユニット１００では、水回路５から水循環ポンプ４５が排除されており、それ以外のチリングユニット１００の構成は、基本的に第１の実施形態と同様である。そのため、第２の実施形態において、第１の実施形態と同一の構成部分には同一の参照符号を付して、その説明を省略する。
【０１１０】
図１０に示すように、ポンプレス仕様のチリングユニット１００によると、水循環ポンプが収められていた機械室１４の後端部に空きスペースが生じるので、当該空きスペースに水回路５の第１の接続端部４８および第２の接続端部５１が収容されている。そのため、本実施形態では、第１の現場配管５５が筐体２の背後の段差部４３に入り込んでいるとともに、第２の現場配管５６が第１の実施形態に比べて段差部４３に近づいている。
【０１１１】
第２の実施形態によると、段差部４３が規定するスペースＳ１を利用して第１の現場配管５５を引き回すことができる。言い換えると、第１の現場配管５５が段差部４３に入り込み、第２の現場配管５６が段差部４３により近づく位置まで、チリングユニット１００の筐体２を第１の現場配管５５および第２の現場配管５６の側に寄せることができる。
【０１１２】
したがって、チリングユニット１を据え付けるためのスペースをより一層削減することができる。
【０１１３】
「第３の実施形態」  
図１１は、第３の実施形態を開示している。
【０１１４】
第３の実施形態に係るチリングユニット２００によると、第１のセクションとしての筐体２の背後に第１の段差部２０１が形成され、筐体２の前側に第２の段差部２０２が形成されている。
【０１１５】
第１の段差部２０１は、筐体２の側方および背後に向けて連続して開放されたスペースＳ２を有し、当該スペースＳ２に水回路５の第１の接続端部４８および第２の接続端部５１が位置されている。同様に第２の段差部２０２は、筐体２の側方および前方に向けて連続して開放されたスペースＳ３を有し、当該スペースＳ３に例えば配管キットのようなオプション部品２０３が位置されている。
【０１１６】
第３の実施形態によると、筐体２の前側に位置する第２の段差部２０２をオプション部品２０３の配置スペースとして活用でき、筐体２の周囲を有効に利用することができる。
【０１１７】
「第４の実施形態」  
上記した第１の実施形態において、排熱ファンユニット３００（ファン装置７１）は、電装ボックス７０の内部に空気の流れを発生させ、これにより、電装ボックス７０の内部の熱気を機外に排熱可能（換言すると、電装ボックス７０の内部を冷却（空冷）可能）に構成されている。かかる構成において、ダクトユニット８１（ファン装置７１、排熱ファンユニット３００）は、電装ボックス７０の上面の中央部分に設けられている（図６、図８および図９参照）。
【０１１８】
かくして、空気熱交換部２２用のファン３０が停止した場合でも、排熱ファンユニット３００（電動ファン８２ａ，８２ｂ，８２ｃ）を独自に動作させることが可能となる。この結果、電装ユニット６（電装ボックス７０）の内部に対する排熱動作を維持ないし継続させることができる。
【０１１９】
ところで、ファン装置７１（ダクトユニット８１、排熱ファンユニット３００）の配置は、電装ボックス７０の上面の中央部分に限られない。要するに、電装ボックス７０内の各種の電気部品（発熱部品）から発せられる熱気を排熱可能であれば、例えば、電装ボックス７０の側面や下面に、当該ファン装置７１を配置することができる。
【０１２０】
本実施形態では、上記した排熱ファンユニット３００が、ダクトユニット８１から引き出し可能（即ち、筐体２の外に引き出し可能）に構成されている。これにより、ファン装置７１（ダクトユニット８１、排熱ファンユニット３００）の配置の自由度を向上させることができる。以下、具体的に説明する。
【０１２１】
図１２〜図１３に示すように、本実施形態のチリングユニット１は、出し入れ機構３０２を有している。出し入れ機構３０２は、排熱ファンユニット３００をダクトユニット８１に対して、引き出したり、挿入したり（押し込んだり）することが可能に構成されている。
【０１２２】
ここで、排熱ファンユニット３００をダクトユニット８１から引き出す。これにより、排熱ファンユニット３００を筐体２の外に引き出すことが可能となる。一方、排熱ファンユニット３００をダクトユニット８１に挿入する（押し込む）。これにより、排熱ファンユニット３００をダクトユニット８１に出し入れ可能に収容させることができる。
【０１２３】
このような動作を実現するために、出し入れ機構３０２は、スライダ３０２ａと、ガイドレール３０２ｂ（図１８参照）と、操作パネル３０２ｃと、を備えている。
【０１２４】
スライダ３０２ａは、排熱ファンユニット３００を搭載可能に構成されている。スライダ３０２ａは、排熱ファンユニット３００の左右両側に、互いに平行に設けられている。スライダ３０２ａは、筐体２の奥行き方向（矢印ＦからＲ方向）に沿って平行に配置されている。
【０１２５】
スライダ３０２ａは、ガイドレール３０２ｂに沿って往復動可能に構成されている。ガイドレール３０２ｂは、ダクトユニット８１の両側に沿って、互いに平行に設けられている。ガイドレール３０２ｂは、スライダ３０２ａに対向させて配置されている。即ち、ガイドレール３０２ｂは、筐体２の奥行き方向（矢印ＦからＲ方向）に沿って平行に配置されている。
【０１２６】
操作パネル３０２ｃは、筐体２の正面方向Ｆからスライダ３０２ａに連結されており、排熱ファンユニット３００の前面を構成している。操作パネル３０２ｃには、作業員が手指で掴むことが可能な把手部３０２ｄが設けられている。
【０１２７】
また、筐体２の正面方向Ｆは、正面板３０３と上部板３０４によって覆われている。上部板３０４は、正面板３０３の上部側に着脱自在に取り付けられている。筐体２に上部板３０４を取り付けた状態において、操作パネル３０２ｃは、当該上部板３０４によって外部から隔離された状態に維持されている。
【０１２８】
ここで、排熱ファンユニット３００がダクトユニット８１に収容された状態において、作業員が、上部板３０４を筐体２から取り外した後、手指で把手部３０２ｄを掴んで手前に引き出す。これにより、スライダ３０２ａがガイドレール３０２ｂに沿って移動し、排熱ファンユニット３００が、スライダ３０２ａと共に、ダクトユニット８１から引き出される。
【０１２９】
かかる状態において、例えば、排熱ファンユニット３００（電動ファン８２ａ，８２ｂ，８２ｃ）に対する洗浄、修理、交換などの各種のメンテナンスを容易に行うことができる。メンテナンスの終了後、再び、排熱ファンユニット３００をダクトユニット８１に収容させる。
【０１３０】
即ち、作業員が、排熱ファンユニット３００を、スライダ３０２ａと共に、ダクトユニット８１に挿入し、当該排熱ファンユニット３００をダクトユニット８１に収容させることができる。この後、上部板３０４を筐体２に取り付ける。
【０１３１】
以上、本実施形態によれば、排熱ファンユニット３００を、ダクトユニット８１から引き出し可能とすることで、当該排熱ファンユニット３００を筐体２の外に引き出し可能に構成する。これにより、ファン装置７１の配置の自由度を向上させることができる。例えば、従来ではメンテナンスが困難であったために設置できなかったような場所にも、当該ファン装置７１を配置することができる。
【０１３２】
なお、上記した出し入れ機構３０２の構成は、あくまで一例であって、他の構成によって出し入れ機構３０２を実現してもよい。
【０１３３】
「第５実施形態」  
図１４〜図１６に示すように、本実施形態のチリングユニット１は、上記したファン装置７１（ダクトユニット８１、排熱ファンユニット３００）と、仕切ベース３０５,３０６と、カバー３０７と、整流板３０８と、を有している。
【０１３４】
「仕切ベース３０５,３０６」  
仕切ベース３０５,３０６は、空気熱交換部２２と筐体２（機械室１４）との間に配置されている。仕切ベース３０５,３０６は、各空気熱交換部２２の下端に１つずつ設けられている。仕切ベース３０５,３０６は、空気熱交換部２２の下端の全体を覆うように構成されている。仕切ベース３０５,３０６は、上記した排気通路３３（図９参照）の下端よりも広範囲に亘って構成されている。仕切ベース３０５,３０６は、一対の樋６１ａ，６１ｂの相互間に亘って広がっている。
【０１３５】
仕切ベース３０５,３０６は、その左右方向中央部分から左右両側に向かって、下り勾配の傾斜面Ｍ１,Ｍ２を有して構成されている。傾斜面Ｍ１,Ｍ２の一端は、仕切ベース３０５,３０６の中央部分に位置付けられている。傾斜面Ｍ１,Ｍ２の他端は、仕切ベース３０５,３０６の両側（即ち、樋６１ａ，６１ｂ）に位置付けられている。
【０１３６】
また、図１５に示すように、仕切ベース３０５,３０６の左右両側（傾斜面Ｍ１,Ｍ２の他端）は、下方へ下がった段部３０６ｂが形成されており、この段部３０６ｂには、複数の通路３０９が、間隔を存して設けられている。通路３０９は、仕切ベース３０５,３０６を貫通させて構成されている。
【０１３７】
ここで、図１６に示すように、仕切ベース３０５,３０６の両側に形成された段部３０６ｂは、上方に配置される熱交換部２２の空気熱交換器２９ａ，２９ｂの下端の一部が接触しないように、当該空気熱交換器２９ａ，２９ｂから離間させて配置されている。これにより、空気熱交換器２９ａ，２９ｂと仕切りベース３０５，３０６との接触部分において、表面張力等により雨水やドレン水の流れを妨げることなく、良好な排水性を確保することができる。また、寒冷条件での着霜・氷結の成長を抑止することができ、熱交換性能の低下を防止することができる。
【０１３８】
かかる仕切ベース３０５,３０６によれば、そのベース表面（傾斜面Ｍ１,Ｍ２）に落下ないし付着した水（例えば、雨水）は、当該ベース表面（傾斜面Ｍ１,Ｍ２）に沿って流下する。流下した水は、仕切ベース３０５,３０６の両側の段部３０６ｂの通路３０９から樋６１ａ，６１ｂに落下する。落下した水は、樋６１ａ，６１ｂを流れた後、上記したドレン回収盤６２を介して排水される。なお、雨水としては、例えば、上記した排気通路３３に吹き込んだ雨水や、空気熱交換部２２を伝って流れ落ちた雨水などが想定される。
【０１３９】
本実施形態において、上記した仕切ベース３０５,３０６のうち、電装ユニット６（電装ボックス７０）と、空気熱交換部２２との間の仕切ベース３０６には、ダクトユニット８１が貫通されて支持されている。ダクトユニット８１は、仕切ベース３０６の中央部分に設けられている。ダクトユニット８１は、仕切ベース３０６の両側（上部側、下部側）に突出した状態で構成されている。なお、仕切ベース３０６の上部側とは、空気熱交換部２２（排気通路３３）が配置された側を指す。仕切ベース３０６の下部側とは、筐体２（電装ユニット６（電装ボックス７０））が配置された側を指す。
【０１４０】
ここで、仕切ベース３０６の上部側のダクトユニット８１を、上部ダクト３１０と称し、仕切ベース３０６の下部側のダクトユニット８１を、下部ダクト３１１と称する。この場合、上記した吹き出し部３０１は、ダクトユニット８１（即ち、上部ダクト３１０、下部ダクト３１１）の開口（吹出口）として規定することができる。
【０１４１】
「カバー３０７」  
カバー３０７は、かかる吹き出し部３０１、即ち、ダクトユニット８１（上部ダクト３１０、下部ダクト３１１）の開口（吹出口）を覆うように配置されている。換言すると、吹き出し部３０１の上方、即ち、ダクトユニット８１（上部ダクト３１０、下部ダクト３１１）の上方は、カバー３０７で覆われている。この場合、カバー３０７は、吹き出し部３０１（ダクトユニット８１）から離間した位置に設けられている。カバー３０７と吹き出し部３０１（ダクトユニット８１）とは、相互に非接触な位置関係を有している（図１８〜図１９参照）。
【０１４２】
なお、カバー３０７の取付仕様としては、例えば、ダクトユニット８１（特に、上部ダクト３１０）に支持されるように設定してもよいし、或いは、仕切ベース３０６に支持されるように設定してもよい。
【０１４３】
カバー３０７は、その中央部分から両側に向かって下り勾配を有した輪郭に構成されている。カバー３０７は、表面３０７ａ（以下、カバー表面と言う）と、裏面３０７ｂ（以下、カバー裏面と言う）と、を備えている。カバー表面３０７ａとカバー裏面３０７ｂとは、互いに対向して平行に構成されている。カバー表面３０７ａ及びカバー裏面３０７ｂは、カバー３０７の輪郭に沿った形状を有している。即ち、カバー表面３０７ａ及びカバー裏面３０７ｂは、その中央部分から両側に向かって下り勾配を有している。
【０１４４】
ここで、カバー３０７の中央部分とは、筐体２の奥行き方向（矢印ＦからＲ方向）に沿って平行に延出した部分を指す。図面では一例として、カバー３０７の中央部分と、上記した仕切ベース３０６の中央部分とは、重力方向で見て上下に互いに平行に位置付けられている。カバー３０７の両側とは、その中央部分から仕切ベース３０６のベース表面（傾斜面Ｍ１,Ｍ２）に向かって接近している部分を指す。
【０１４５】
かかるカバー３０７によれば、そのカバー表面３０７ａに落下ないし付着した水（例えば、雨水）は、当該カバー表面３０７ａに沿って流下する。流下した水は、カバー表面３０７ａの両側からベース表面（傾斜面Ｍ１,Ｍ２）に落下する。落下した水は、ベース表面（傾斜面Ｍ１,Ｍ２）に沿って流下する。流下した水は、ベース表面の両側（傾斜面Ｍ１,Ｍ２の他端）の通路から樋６１ａ，６１ｂに落下する。落下した水は、樋６１ａ，６１ｂを流れた後、上記したドレン回収盤６２を介して排水される。
【０１４６】
一方、上記した排熱ファンユニット３００（電動ファン８２ａ，８２ｂ，８２ｃ）によって、ダクトユニット８１（上部ダクト３１０、下部ダクト３１１）の吹き出し部３０１から吹き出された熱気は、当該カバー裏面３０７ｂに沿って流動する。即ち、熱気は、カバー裏面３０７ｂの中央部分から両側に向かって流動する。両側に流動した熱気は、カバー裏面３０７ｂと、ダクトユニット８１（具体的には、上部ダクト３１０）との間を通った後、カバー３０７の両側から流出する。
【０１４７】
「整流板３０８」  
整流板３０８は、カバー３０７の両側から、予め設定された距離だけ、離間させて配置されている。整流板３０８は、カバー３０７の両側に対向した位置に、それぞれ１つずつ設けられている。図面では一例として、整流板３０８は、仕切ベース３０６のベース表面（傾斜面Ｍ１,Ｍ２）に、１つずつ配置されている。整流板３０８は、互いに平行に対向した位置関係を有している。整流板３０８は、ベース表面（傾斜面Ｍ１,Ｍ２）から、上記した排気通路３３に向けて立ち上げられている。
【０１４８】
かかる整流板３０８によれば、上記したカバー３０７の両側から流出した熱気は、その一部がベース表面（傾斜面Ｍ１,Ｍ２）に沿って流動する。ここで、上記した整流板３０８が無い場合、熱気は、空気熱交換部２２にダイレクトに到達する。そうすると、到達した熱気によって、空気熱交換部２２の交換効率が低下する虞がある。
【０１４９】
しかしながら、本実施形態では、上記した整流板３０８が配置されている。このため、カバー３０７の両側から流出した熱気は、当該整流板３０８によって流動方向が制限される。即ち、かかる熱気は、空気熱交換部２２を回避する方向に規制される。換言すると、当該熱気が、空気熱交換部２２にダイレクトに到達することは無い。これにより、空気熱交換部２２の交換効率を一定に維持することができる。
【０１５０】
更に、整流板３０８には、仕切ベース３０６のベース表面（傾斜面Ｍ１,Ｍ２）に向けて流路３１２が設けられている。流路３１２は、整流板３０８を貫通させて構成されている。流路３１２は、整流板３０８に沿って複数配置されている。この場合、上記したカバー表面３０７ａの両側からベース表面（傾斜面Ｍ１,Ｍ２）に落下した水（雨水）は、整流板３０８に到達すると、複数の流路３１２を通過する。かくして、当該水は、整流板３０８によって堰き止められること無く、スムーズかつ漏れなくベース表面（傾斜面Ｍ１,Ｍ２）に沿って流下する。
【０１５１】
「第６実施形態」  
図１７〜図１９に示すように、本実施形態のチリングユニット１は、分割（分離）可能に組み立てられている。即ち、チリングユニット１は、上部に位置する第２のセクションである上部セクション１ａと、下部に位置する第１のセクションである下部セクション１ｂと、を有している。上部セクション１ａは、下部セクション１ｂに対して、分離（分割）可能に連結させる（一体化させる）ことができる。
【０１５２】
本実施形態において、上記したファン装置７１（図１６参照）は、上部ファン装置７１ａと、下部ファン装置７１ｂと、に分離（分割）可能であって、かつ、下部ファン装置７１ｂに対して上部ファン装置７１ａを連結可能に構成されている。この場合、上部セクション１ａは、例えば、上部ファン装置７１ａと、空気熱交換部２２と、を含んで構成されている。下部セクション１ｂは、例えば、下部ファン装置７１ｂと、筐体２（機械室１４（電装ユニット６））と、を含んで構成されている。
【０１５３】
本実施形態において、上記したダクトユニット８１は、上部ダクト３１０と、下部ダクト３１１と、に分離（分割）可能であって、かつ、下部ダクト３１１に対して上部ダクト３１０を連結可能に構成されている。かかる連結状態において、上部ダクト３１０と下部ダクト３１１との間には、上記した仕切ベース３０６が介在されている。
【０１５４】
上部ダクト３１０は、仕切ベース３０６の上部側に配置されている。上部ダクト３１０は、仕切ベース３０６のベース表面（傾斜面Ｍ１,Ｍ２）に固定されている。上部ダクト３１０は、ベース表面（傾斜面Ｍ１,Ｍ２）から、上記した排気通路３３に向けて立ち上げられている。なお、上記したカバー３０７は、上部ダクト３１０或いは仕切ベース３０６のいずれかに支持されている。
【０１５５】
下部ダクト３１１は、仕切ベース３０６の下部側（即ち、裏面側）に配置されている。下部ダクト３１１は、上部ダクト３１０及び仕切ベース３０６から分離された状態に維持されている。下部ダクト３１１は、支持プレート３１３に支持されている。支持プレート３１３は、筐体２に固定されている。かくして、下部ダクト３１１は、支持プレート３１３を介して、筐体２に固定されている。
【０１５６】
図面では一例として、上部ダクト３１０及び下部ダクト３１１は、それぞれ、中空の矩形状を有している。この場合、上部ダクト３１０には、中空の上部開口３１０ａが構成されている。下部ダクト３１１には、中空の下部開口３１１ａが構成されている。そして、仕切ベース３０６には、その中央部分に、中空のベース開口３０６ａが構成されている。ベース開口３０６ａは、仕切ベース３０６を貫通させて構成されている。ベース開口３０６ａは、上部開口３１０ａ及び下部開口３１１ａに対向して連通されている。図面では一例として、矩形状のベース開口３０６ａが示されている。
【０１５７】
ここで、上記した吹き出し部３０１（ダクトユニット８１の開口（吹出口））は、上部開口３１０ａと、ベース開口３０６ａと、下部開口３１１ａと、によって構成されている。換言すると、上部開口３１０ａと、ベース開口３０６ａと、下部開口３１１ａと、がこの順番で相互に連続（連結）されることで、一連の吹き出し部３０１が構成されている。
【０１５８】
「上部ファン装置７１ａ、下部ファン装置７１ｂ」  
上部ファン装置７１ａは、例えば、上部ダクト３１０と、仕切ベース３０６と、カバー３０７と、を主要な構成要素（component）として設定されている。上記したように、上部ダクト３１０及びカバー３０７は、仕切ベース３０６に支持されている。仕切ベース３０６は、空気熱交換部２２（上部セクション１ａ）の下端に固定されている。
【０１５９】
下部ファン装置７１ｂは、例えば、下部ダクト３１１と、排熱ファンユニット３００（電動ファン８２ａ，８２ｂ，８２ｃ）と、を主要な構成要素として設定されている。排熱ファンユニット３００（電動ファン８２ａ，８２ｂ，８２ｃ）は、下部ダクト３１１に収容されている。なお、上記した第２実施形態の出し入れ機構３０２を適用する仕様では、排熱ファンユニット３００（電動ファン８２ａ，８２ｂ，８２ｃ）は、当該出し入れ機構３０２によって、下部ダクト３１１に出し入れ可能に収容される。
【０１６０】
ここで、下部セクション１ｂに対して上部セクション１ａを連結する。空気熱交換部２２が、筐体２（機械室１４（電装ユニット６））の上部に配置される。上部ファン装置７１ａと下部ファン装置７１ｂとが、相互に組み合わされる。このとき、上部ダクト３１０と下部ダクト３１１とが、相互に連結される。具体的には、上部ダクト３１０は、仕切ベース３０６のベース表面（傾斜面Ｍ１,Ｍ２）に固定されている。よって、下部ダクト３１１は、仕切ベース３０６の下部（即ち、裏面）に連結される。
【０１６１】
この状態において、上部ダクト３１０の上部開口３１０ａと、仕切ベース３０６のベース開口３０６ａと、下部ダクト３１１の下部開口３１１ａとが、この順番で相互に連結される。即ち、上部開口３１０ａとベース開口３０６ａと下部開口３１１ａとが、この順番で相互に連続する。かくして、一連の吹き出し部３０１が構成されたチリングユニット１が組み立てられる。
【０１６２】
かかる構成によれば、ファン装置７１（上部セクション１ａ）を、上部ファン装置７１ａ（上部ダクト３１０）と、下部ファン装置７１ｂ（下部ダクト３１１）と、に分離（分割）する。これにより、チリングユニット１の組み立てに際し、上部セクション１ａと下部セクション１ｂとを別々に組み立てることができる。即ち、上部セクション１ａの組立プロセスと、下部セクション１ｂの組立プロセスとを、互いに独立して行うことができる。この場合、ファン装置７１を組み立てる際、上部ファン装置７１ａの下部側に下部ファン装置７１ｂを当て付けるだけで足りる。即ち、上部ダクト３１０の下部側に下部ダクト３１１を連結するだけで足りる。この結果、上部セクション１ａと下部セクション１ｂとを、短時間で安全かつ正確に連結させる（一体化させる）ことができる。
【０１６３】
「緩衝材３１４」  
図１８〜図１９に示すように、本実施形態のチリングユニット１は、緩衝材３１４を有している。緩衝材３１４は、上部セクション１ａと下部セクション１ｂとの間に配置されている。
【０１６４】
かかる構成によれば、上部セクション１ａと下部セクション１ｂとを連結する際、緩衝材３１４が弾性変形する。このとき、連結時の衝撃が、当該緩衝材３１４によって吸収されて除去される。かくして、連結時の衝撃によって上部セクション１ａ及び下部セクション１ｂの構成要素（例えば、上部ダクト３１０、下部ダクト３１１）が変形ないし損傷（損壊）する、といった事態の発生を未然に防止することができる。
【０１６５】
更に、緩衝材３１４が弾性変形することで、製造交差ないし設計交差が吸収されて除去される。このため、上部セクション１ａと下部セクション１ｂとの間の連結精度を高くする必要が無い。換言すると、上部セクション１ａと下部セクション１ｂとの連結（組み立て）に際し、高い熟練度が求められることが無い。かくして、上部セクション１ａと下部セクション１ｂとの組立性を飛躍的に向上させることができる。
【０１６６】
加えて、緩衝材３１４を設けたことで、上部セクション１ａと下部セクション１ｂとの間のシール性を向上させることができる。例えば、緩衝材３１４を、上部ダクト３１０と下部ダクト３１１との間に配置させる。これにより、上部ダクト３１０と下部ダクト３１１とを連結させた状態において、緩衝材３１４が弾性変形する。この結果、当該緩衝材３１４が、上部ダクト３１０と下部ダクト３１１との間に隙間無く密着する。
【０１６７】
図面では、矩形の下部ダクト３１１の上端に沿って緩衝材３１４が設けられている。この場合、下部ダクト３１１が、仕切ベース３０６の下部（即ち、裏面）に連結された際、緩衝材３１４は、下部ダクト３１１の上端と、仕切ベース３０６の下部（裏面）との間に隙間無く密着する。これにより、シール性に優れた一連の吹き出し部３０１を実現することができる。かくして、当該吹き出し部３０１のシール性が一定に維持される。
【０１６８】
「水受け機構」  
図１８〜図１９に示すように、本実施形態のチリングユニット１は、水受け機構を有している。水受け機構は、上記した吹き出し部３０１（ダクトユニット８１）の内部に設けられている。水受け機構は、例えば、上部セクション１ａ（空気熱交換部２２）の内部に存する水（例えば、雨水）が、下部セクション１ｂ（機械室１４（電装ユニット６））の内部に浸入するのを防止可能に構成されている。
【０１６９】
水受け機構は、水受け棚３１５を備えている。水受け棚３１５は、吹き出し部３０１（ダクトユニット８１）の内部に向けて突出させて構成されている。水受け棚３１５は、吹き出し部３０１（ダクトユニット８１）の内部に沿って連続的に構成されている。水受け棚３１５は、吹き出し部３０１（ダクトユニット８１）の開口の内側を連続的に一部覆うように構成されている。水受け棚３１５は、水平方向の角度、あるいは、上り勾配の角度を有して突出している。上り勾配の角度とは、水平方向と垂直方向との間の方向に向けた傾斜角を指す。
【０１７０】
「水受け棚３１５の具体的仕様」  
図面では一例として、仕切ベース３０６の一部を、水受け棚３１５として利用している。即ち、上部ダクト３１０の上部開口３１０ａは、仕切ベース３０６のベース開口３０６ａよりも大きく（広く）設定されている。換言すると、仕切ベース３０６のベース開口３０６ａは、上部ダクト３１０の上部開口３１０ａよりも小さく（狭く）設定されている。かかる設定を実現する方法としては、例えば、上部ダクト３１０をベース開口３０６ａよりも大きく（広く）構成するか、或いは、ベース開口３０６ａを上部ダクト３１０よりも小さく（狭く）構成する。
【０１７１】
これにより、上部ダクト３１０の下端の内側に、上部開口３１０ａの下端の内側を連続的に一部覆った水受け棚３１５が実現されている。この場合、水受け棚３１５は、上部ダクト３１０の上部開口３１０ａよりも内側に突出した（迫り出した）構造を有している。更に、上記したように、仕切ベース３０６は、その中央部分から両側に向かって下り勾配を有して構成されている。このため、その一部を利用した当該水受け棚３１５は、上部開口３１０ａの内方に向かって上り勾配の傾斜角を有して構成されている。
【０１７２】
更に、水受け棚３１５と上部ダクト３１０との組み合せによって、貯水構造が実現されている。貯水構造は、水受け棚３１５と上部ダクト３１０とが協働することで、一定量の水を一時的に貯水可能に構成されている。これにより、水受け機構は、貯水構造としての機能を有している。
【０１７３】
かかる水溜め機構によれば、上部セクション１ａ（空気熱交換部２２）の内部に存する水（例えば、雨水）が、吹き出し部３０１（ダクトユニット８１）に浸入した場合でも、かかる吹き出し部３０１（ダクトユニット８１）の内部に沿って落下する水（雨水）は、上記した水受け棚３１５によって受け止められる。受け止められた当該水（雨水）は、水受け棚３１５と上部ダクト３１０との間に貯水される。かくして、当該水が、下部セクション１ｂ（機械室１４（電装ユニット６））の内部に浸入するのを防止することができる。
【０１７４】
「水抜き機構」  
図１８〜図１９に示すように、本実施形態のチリングユニット１は、水抜き機構を有している。水抜き機構は、上記した水受け機構（具体的には、上記した貯水構造）によって貯水された水（例えば、雨水）を、抜き出し可能に構成されている。水抜き機構は、水抜き通路３１６を備えている。水抜き通路３１６は、ダクトユニット８１（具体的には、上記した上部ダクト３１０）に設けられている。
【０１７５】
水抜き通路３１６は、上部ダクト３１０の下端に沿って間隔を存して設けられている。水抜き通路３１６は、上部ダクト３１０の下端を貫通させて構成されている。水抜き通路３１６は、仕切ベース３０６のベース表面（傾斜面Ｍ１,Ｍ２）に向かって貫通されている。
【０１７６】
この場合、貯水構造によって貯水された水（雨水）は、水抜き通路３１６を通って、ベース表面（傾斜面Ｍ１,Ｍ２）に抜き出される。抜き出された水は、当該ベース表面（傾斜面Ｍ１,Ｍ２）に沿って流下する。流下した水は、仕切ベース３０６の両側（傾斜面Ｍ１,Ｍ２の他端）の通路から樋６１ａ，６１ｂに落下する。落下した水は、樋６１ａ，６１ｂを流れた後、上記したドレン回収盤６２を介して排水される。
【０１７７】
かかる水抜き機構によれば、水受け機構（貯水構造）によって貯水された水（雨水）を、水抜き通路３１６から排水する。これにより、貯水された水（雨水）が、貯水構造から溢れ出して、吹き出し部３０１（上部開口３１０ａ、ベース開口３０６ａ、下部開口３１１ａ）の内部に落下するのを防止することができる。かくして、当該水が、下部セクション１ｂ（機械室１４（電装ユニット６））の内部に浸入するのを防止することができる。
【０１７８】
ところで、上記した排熱ファンユニット３００（電動ファン８２ａ，８２ｂ，８２ｃ）の上下では、圧力状態が反転している。例えば、排熱動作状態において、排熱ファンユニット３００（電動ファン８２ａ，８２ｂ，８２ｃ）の下側、即ち、電装ユニット６（電装ボックス７０）の内部は、負圧となる。一方、排熱ファンユニット３００（電動ファン８２ａ，８２ｂ，８２ｃ）の上側、即ち、吹き出し部３０１の圧力状態は、正圧となる。
【０１７９】
これにより、排熱時、貯水された水（雨水）は、常に、正圧による圧力作用を受ける。この結果、当該水は、水抜き通路３１６の方向に押圧され続ける。かくして、当該水は、漏れなく水抜き通路３１６から排水される。よって、当該水が、下部セクション１ｂ（機械室１４（電装ユニット６））の内部に浸入することは無い。
【０１８０】
なお、上記実施形態にて、電源ボックス７０は、機械室１４の底板上に配置されている旨説明してが、底板を設けずに、機械室１４内に配置されたメインフレーム７に対してメインボックス７２を直接固定させてもよい。
【０１８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１８２】
１ａ…上部セクション、１ｂ…下部セクション、２…第１のセクション（筐体）、１４…機械室、２０，２１，２３ａ，２３ｂ，２４，２５，２６…冷凍サイクル構成部品（圧縮機、四方弁、膨張弁、レシーバ、水熱交換器、気液分離器）、２２…第２のセクション（空気熱交換部）、４３，２０１，２０２…段差部（第１の段差部、第２の段差部）、４６ａ，４６ｂ，４６ｃ，４６ｄ…水配管（第１ないし第４の水配管）、４８，５１…接続端部（第１の接続端部、第２の接続端部）、６０…ドレンパン、７０…電装ボックス、７１…ファン装置、７２…メインボックス、８１…ダクトユニット、３００…排熱ファンユニット、３０５,３０６…仕切ベース、３１０…上部ダクト、３１１…下部ダクト、３１０ａ…上部開口、３１１ａ…下部開口、３０６ａ…ベース開口、３０６ｂ…段部、３１４…緩衝材、３１５…水受け棚（水受け機構）、３１６…水抜き通路（水抜き機構）。
【図１】
0006657399.tif 000002
【図２】
0006657399.tif 000003
【図３】
0006657399.tif 000004
【図４】
0006657399.tif 000005
【図５】
0006657399.tif 000006
【図６】
0006657399.tif 000007
【図７】
0006657399.tif 000008
【図８】
0006657399.tif 000009
【図９】
0006657399.tif 000010
【図１０】
0006657399.tif 000011
【図１１】
0006657399.tif 000012
【図１２】
0006657399.tif 000013
【図１３】
0006657399.tif 000014
【図１４】
0006657399.tif 000015
【図１５】
0006657399.tif 000016
【図１６】
0006657399.tif 000017
【図１７】
0006657399.tif 000018
【図１８】
0006657399.tif 000019
【図１９】
0006657399.tif 000020